(57)【要約】【課題】比較的簡易な構成を有するヒートポンプ装置を備えた衣類乾燥装置であって、当該衣類乾燥装置が使用される地域によって被乾燥対象物の乾燥に掛かる時間に差が生じることが防止された衣類乾燥装置を提供する。【解決手段】ドラム式洗濯乾燥機１００は、圧縮機を含むヒートポンプ装置７０と、乾燥室３２と、空気循環経路６０と、制御部２０とを備えている。乾燥室３２には、ヒートポンプ装置７０において加熱された空気が供給される。空気循環経路６０は、ヒートポンプ装置７０と乾燥室３２とに接続されている。圧縮機は、圧縮機を駆動させる誘導モータを有している。誘導モータの出力は、誘導モータに負荷される電力の電気的要因に応じて決定される。制御部２０は、誘導モータの駆動を一時的に停止させた後に、電気的要因に応じて予め設定された条件に基づいて誘導モータを再起動させるように圧縮機を制御する。【選択図】図１
2013180098.tif 000002
【特許請求の範囲】
【請求項１】
圧縮機を含むヒートポンプ装置と、
前記ヒートポンプ装置において加熱された空気が供給される乾燥室と、
前記ヒートポンプ装置と前記乾燥室とに接続された空気循環経路と、
前記ヒートポンプ装置を制御する制御部とを備え、
前記圧縮機は、前記圧縮機を駆動させる駆動部を有し、
前記駆動部の出力は、前記駆動部に負荷される電力の電気的要因に応じて決定され、
前記制御部は、前記駆動部の駆動を一時的に停止させた後に、前記電気的要因に応じて予め設定された条件に基づいて前記駆動部を再起動させるように前記圧縮機を制御する、衣類乾燥装置。
【請求項２】
前記駆動部は誘導モータである、請求項１に記載の衣類乾燥装置。
【請求項３】
前記電気的要因は、前記駆動部に負荷される電力の電源周波数である、
請求項１または請求項２に記載の衣類乾燥装置。
【請求項４】
前記電気的要因は、前記駆動部に負荷される電力の電圧である、
請求項１から請求項３までのいずれか１項に記載の衣類乾燥装置。
【請求項５】
前記制御部は、前記ヒートポンプ装置の所定の箇所の温度を検知する温度検知部を有し、前記温度検知部によって検知される温度が第１の所定の温度以上である場合に前記駆動部を一時的に停止させる、
請求項１から請求項４までのいずれか１項に記載の衣類乾燥装置。
【請求項６】
前記制御部は、前記ヒートポンプ装置の所定の箇所の温度を検知する温度検知部を有し、前記温度検知部によって検知される温度が第２の所定の温度以下である場合に前記圧縮機を再起動させ、
前記電気的要因に応じて予め設定された条件として、前記第２の所定の温度が前記電気的要因に応じて予め設定されている、
請求項１から請求項５までのいずれか１項に記載の衣類乾燥装置。
【請求項７】
前記温度検知部は、前記圧縮機の吐出部の温度を検知し、
前記制御部は、前記温度検知部によって検知される前記圧縮機の吐出部の温度が前記第１の所定の温度以上である場合に前記駆動部を一時的に停止させ、且つ、前記圧縮機の吐出部の温度が前記第２の所定の温度以下である場合に前記圧縮機を再起動させる、
請求項６に記載の衣類乾燥装置。
【発明の詳細な説明】
【技術分野】
【０００１】
本発明は、一般的には衣類乾燥装置に関し、特定的には熱源としてヒートポンプを用いた衣類乾燥装置に関する。
【背景技術】
【０００２】
ヒートポンプを備えた衣類乾燥装置として、例えば、特許第３３２１９４５号公報（以下、特許文献１という）に記載された衣類乾燥機、または、特開２００９−６１１６３号公報（以下、特許文献２という）に記載された衣類乾燥機が従来から知られている。
【０００３】
ヒートポンプに利用される冷凍サイクルの観点において、凝縮器で冷媒が空気に与える熱量は、蒸発器で冷媒が得た熱量と、圧縮機を駆動するために外部から加えられた電力との和である。そのため、ヒートポンプを用いた衣類乾燥装置では、当該衣類乾燥装置の運転が続けられる場合に、当該衣類乾燥装置の外部へ自然に放出される熱量と、圧縮機に外部から加えられた電力との差だけ当該衣類乾燥装置全体のエネルギーが増加する。当該衣類乾燥装置全体のエネルギーが増加することに伴って、ヒートポンプの冷媒のエネルギーも増加する。つまり、冷媒の温度と圧力とが上昇する。
【０００４】
しかしながら、冷媒の圧力が圧縮機の過負荷の上限値に達する場合には、安全装置を作動させることによって当該衣類乾燥装置の運転を停止させる必要がある。そのため、当該衣類乾燥装置の運転の途中で、当該衣類乾燥装置全体のエネルギーの上昇を抑制する必要がある。
【０００５】
特許文献１に記載された衣類乾燥機においては、循環風路のうちの凝縮器と乾燥室との間の部分に、排気口が形成されている。凝縮器を通った後の乾燥用空気の一部が排気口から当該衣類乾燥機の外部に排出されることにより、当該衣類乾燥機の全体のエネルギーの上昇が抑制されている。
【０００６】
しかしながら、特許文献１に記載された衣類乾燥機のように、乾燥用空気が当該衣類乾燥機の外部に放出されることは、乾燥用空気が有する熱量の一部が無駄に廃棄される。そのため、当該衣類乾燥機が消費する電力量が増大する。
【０００７】
一方、特許文献２に記載された衣類乾燥機は、乾燥運転の中期から後半においては、衣類からの水分蒸発量が減ることから、循環装置において蒸発器の冷媒の出口の温度と入口の温度との差を大きくするように減圧手段によって冷媒の流量を絞ることにより、蒸発器の除湿能力をやや低下させている。また、乾燥運転の中期から後半においては、蒸発器の除湿能力をやや低下させるとともに、圧縮機の運転周波数を低下させている。このような対策により、当該衣類乾燥機の外部から加えられる電力が低減されるため、当該衣類乾燥機の全体のエネルギーの上昇が抑制されている。
【０００８】
また、特許文献２に記載された衣類乾燥機は、衣類からの水分の蒸発にエネルギーを使用し、且つ、除湿に係るエネルギーの使用量を減らすことにより、乾燥運転に係る全体としてのエネルギーの使用量を低下させ、乾燥速度を低下させることなく、消費電力量を低減することが可能である。
【先行技術文献】
【特許文献】
【０００９】
【特許文献１】特許第３３２１９４５号公報
【特許文献２】特開２００９−６１１６３号公報
【発明の概要】
【発明が解決しようとする課題】
【００１０】
特許文献２に記載の衣類乾燥機のように、能力が可変である圧縮機を用いる場合は、当該衣類乾燥機に掛かる費用を抑えることが困難であり、または、当該衣類乾燥機の構成が複雑化する。一方、能力が可変でない圧縮機を用いることにより、衣類乾燥機に掛かる費用を抑制すること、および、比較的簡易な構成を有するヒートポンプを備えた衣類乾燥機を提供することができる。例えば、圧縮機に負荷される電力の電気的要因に応じて圧縮機の駆動部の出力が定められる構成を有する圧縮機が用いられ、且つ、インバータを介さずに圧縮機に電力が供給されるようなヒートポンプにおいては、当該ヒートポンプの構成を簡略化することができる。
【００１１】
しかしながら、能力が可変でない圧縮機が衣類乾燥機に用いられ、当該衣類乾燥機が設置された環境が非常に高温である場合等に、冷媒の温度が過剰に上昇するときには、圧縮機の能力を低減させることができないため、圧縮機の作動を一時的に停止させる必要がある。その後、冷媒の温度が所定の温度まで低下する場合には、圧縮機の作動が再開される。このように、衣類乾燥機において被乾燥対象物の乾燥が終了するまで、圧縮機の作動の一時停止と再開とが繰り返される。
【００１２】
圧縮機に負荷される電力の電気的要因の一例は、電源周波数である。インバータを介さずに圧縮機に供給される電力の電源周波数に応じて圧縮機の能力が定められるような、圧縮機の能力が可変でない構成を有するヒートポンプを備えた衣類乾燥装置においては、当該衣類乾燥装置が有する乾燥能力が電源周波数に応じて定まる。そのため、当該衣類乾燥装置において、圧縮機に供給される電力の電源周波数が異なる場合に、互いに同一の条件に基づいて圧縮機の作動の一時停止と再開とが繰り返されるときには、被乾燥対象物を乾燥させるために必要な時間が、圧縮機に供給される電力の電源周波数ごとに変動する。
【００１３】
したがって、例えば電源周波数に応じて圧縮機の能力が定められる構成を有するヒートポンプを備えた衣類乾燥装置において、圧縮機に供給される電力の電源周波数が異なる場合に互いに同一の条件に基づいて圧縮機の作動の一時停止と再開とが繰り返されるときには、電源周波数の違いによって被乾燥対象物を乾燥させるために必要な時間に差が生じてしまう。すなわち、当該衣類乾燥装置が使用される地域が異なる場合には、被乾燥対象物の乾燥に掛かる時間に差が生じる。
【００１４】
そこで、本発明の目的は、比較的簡易な構成を有するヒートポンプ装置を備えた衣類乾燥装置であって、当該衣類乾燥装置が使用される地域によって被乾燥対象物の乾燥に掛かる時間に差が生じることが防止された衣類乾燥装置を提供することである。
【課題を解決するための手段】
【００１５】
本発明に従った衣類乾燥装置は、圧縮機を含むヒートポンプ装置と、乾燥室と、空気循環経路と、制御部とを備えている。乾燥室には、ヒートポンプ装置において加熱された空気が供給される。空気循環経路は、ヒートポンプ装置と乾燥室とに接続されている。制御部は、ヒートポンプ装置を制御する。
【００１６】
圧縮機は、圧縮機を駆動させる駆動部を有している。駆動部の出力は、駆動部に負荷される電力の電気的要因に応じて決定される。制御部は、駆動部の駆動を一時的に停止させた後に、電気的要因に応じて予め設定された条件に基づいて駆動部を再起動させるように圧縮機を制御する。
【００１７】
本発明に従った衣類乾燥装置において、圧縮機の駆動部の出力、つまり、圧縮機の能力は、可変でなく、駆動部に負荷される電力の電気的要因に応じて決定される。圧縮機の能力が可変でない構成を有するヒートポンプ装置を備えた衣類乾燥装置においては、当該衣類乾燥装置が有する乾燥能力が圧縮機に供給される電力の電気的要因に応じて定まる。そのため、圧縮機の能力が可変でない構成を有するヒートポンプ装置を備えた衣類乾燥装置において、被乾燥対象物を乾燥させるために必要な時間が、圧縮機に供給される電力の電気的要因ごとに変動する。
【００１８】
したがって、圧縮機の能力が可変でない構成を有するヒートポンプ装置を備えた衣類乾燥装置において、圧縮機に供給される電力の電気的要因が異なる場合に互いに同一の条件に基づいて圧縮機の作動の一時停止と再開とが繰り返されるときには、当該電気的要因の違いによって被乾燥対象物を乾燥させるために必要な時間に差が生じてしまう。すなわち、当該衣類乾燥装置が使用される地域が異なる場合には、被乾燥対象物の乾燥に掛かる時間に差が生じる。
【００１９】
しかしながら、本発明に従った衣類乾燥装置において、駆動部は、一時的に停止された後には、電気的要因に応じて予め設定された条件に基づいて再起動される。これにより、本発明に従った衣類乾燥装置において、圧縮機に供給される電力の電気的要因が互いに異なる場合であっても、電力の電気的要因の違いによって被乾燥対象物を乾燥させるために必要な時間に差が生じることを防止することができる。例えば、当該衣類乾燥装置が使用される地域が異なる場合に、被乾燥対象物の乾燥に掛かる時間に差が生じることを防止することができる。
【００２０】
一方、本発明によれば、能力が可変でない圧縮機を用いることにより、ヒートポンプ装置は、特殊な制御回路等の複雑な構成を有する必要がない。すなわち、ヒートポンプ装置の構成を簡略化することができる。
【００２１】
このように、本発明によれば、比較的簡易な構成を有するヒートポンプ装置を備えた衣類乾燥装置であって、当該衣類乾燥装置が使用される地域によって被乾燥対象物の乾燥に掛かる時間に差が生じることが防止された衣類乾燥装置を提供することができる。
【００２２】
本発明に従った衣類乾燥装置において、駆動部は、好ましくは誘導モータである。誘導モータは、例えば特殊な制御回路を介さずに、商用電源から直接的に誘導モータに供給された電力を用いて回転することができる。このように、圧縮機の駆動部として誘導モータを用いることにより、圧縮機および衣類乾燥装置の構成を簡略化することができる。
【００２３】
本発明に従った衣類乾燥装置において、電気的要因は、好ましくは、駆動部に負荷される電力の電源周波数である。
【００２４】
この構成によれば、駆動部は、一時的に停止された後には、電源周波数に応じて予め設定された条件に基づいて再駆動される。これにより、本発明に従った衣類乾燥装置において、電源周波数の違い、つまり、当該衣類乾燥装置が使用される地域によって被乾燥対象物を乾燥させるために必要な時間に差が生じることを防止することができる。
【００２５】
言い換えると、この構成によれば、本発明に従った衣類乾燥装置において、駆動部に負荷される電力の電源周波数に応じて圧縮機の能力が決定されるような、簡易な構成を有する駆動部を含んだ圧縮機を用いることができる。
【００２６】
本発明に従った衣類乾燥装置において、電気的要因は、好ましくは、駆動部に負荷される電力の電圧である。
【００２７】
この構成によれば、駆動部は、一時的に駆動が停止された後には、駆動部に負荷される電力の電圧に応じて予め設定された条件に基づいて再駆動される。これにより、本発明に従った衣類乾燥装置において、電力の電圧の違い、例えば、当該衣類乾燥装置が使用する商用電源の電圧値の違いによって被乾燥対象物を乾燥させるために必要な時間に差が生じることを防止することができる。
【００２８】
言い換えると、この構成によれば、本発明に従った衣類乾燥装置において、駆動部に負荷される電力の電圧に応じて圧縮機の能力が決定されるような、簡易な構成を有する駆動部を含んだ圧縮機を用いることができる。
【００２９】
本発明に従った衣類乾燥装置において、制御部は、好ましくは、ヒートポンプ装置の所定の箇所の温度を検知する温度検知部を有している。制御部は、好ましくは、温度検知部によって検知される温度が第１の所定の温度以上である場合に駆動部を一時的に停止させる。
【００３０】
この構成によれば、本発明に従った衣類乾燥装置が設置された環境が非常に高温である場合等に冷媒の温度が過剰に上昇するときに、圧縮機の能力を低減させることができなくても、圧縮機の作動を一時的に停止させることができる。これにより、当該衣類乾燥装置の外部から加えられる電力を低減させることができるため、当該衣類乾燥装置の全体のエネルギーの上昇を抑制することができる。
【００３１】
本発明に従った衣類乾燥装置において、制御部は、好ましくは、ヒートポンプ装置の所定の箇所の温度を検知する温度検知部を有している。制御部は、好ましくは、温度検知部によって検知される温度が第２の所定の温度以下である場合に圧縮機を再起動させる。好ましくは、電気的要因に応じて予め設定された条件として、第２の所定の温度が電気的要因に応じて予め設定されている。
【００３２】
この構成によれば、駆動部は、一時的に駆動が停止された後に、温度検知部によって検知される温度が、電気的要因に応じて予め設定された第２の所定の温度以下である場合に再起動される。これにより、本発明に従った衣類乾燥装置において、圧縮機の能力を変化させることができなくても、電力の電気的要因の違いによって被乾燥対象物を乾燥させるために必要な時間に差が生じることを防止することができる。
【００３３】
本発明に従った衣類乾燥装置において、温度検知部は、好ましくは、圧縮機の吐出部の温度を検知する。制御部は、好ましくは、温度検知部によって検知される圧縮機の吐出部の温度が第１の所定の温度以上である場合に駆動部を一時的に停止させ、且つ、圧縮機の吐出部の温度が第２の所定の温度以下である場合に圧縮機を再起動させる。
【００３４】
この構成によれば、本発明に従った衣類乾燥装置が設置された環境が非常に高温である場合等に冷媒の温度が過剰に上昇するときに、圧縮機の能力を低減させることができなくても、温度検知部によって検知される圧縮機の吐出部の温度に基づいて圧縮機の作動を一時的に停止させることができる。これにより、当該衣類乾燥装置の外部から加えられる電力を低減させることができるため、当該衣類乾燥装置の全体のエネルギーの上昇を抑制することができる。
【００３５】
また、この構成によれば、駆動部は、一時的に駆動が停止された後に、圧縮機の吐出部の温度が、電気的要因に応じて予め設定された第２の所定の温度以下である場合に再起動される。これにより、本発明に従った衣類乾燥装置において、圧縮機の能力を変化させることができなくても、電力の電気的要因の違いによって被乾燥対象物を乾燥させるために必要な時間に差が生じることを防止することができる。
【発明の効果】
【００３６】
以上のように、本発明によれば、比較的簡易な構成を有するヒートポンプ装置を備えた衣類乾燥装置であって、当該衣類乾燥装置が使用される地域によって被乾燥対象物の乾燥に掛かる時間に差が生じることが防止された衣類乾燥装置を提供することができる。
【図面の簡単な説明】
【００３７】
【図１】本発明に従った衣類乾燥装置の一例であるドラム式洗濯乾燥機の構成を示す概略図である。
【図２】本発明に従った衣類乾燥装置のヒートポンプの構成の一例を示す概略図である。
【図３】本発明に従った衣類乾燥装置の一例であるドラム式洗濯乾燥機が外気温度２０℃の環境下に設置された状態において、６０Ｈｚの電源周波数の電力が圧縮機に供給される場合に、温度検知部によって検知される圧縮機の吐出部の温度の時間的推移の一例を示すグラフである。
【図４】本発明に従った衣類乾燥装置の一例であるドラム式洗濯乾燥機が外気温度３５℃の環境下に設置された状態において、６０Ｈｚの電源周波数の電力が圧縮機に供給される場合に、圧縮機が一時停止された後に、電気的要因に応じて予め設定された条件に基づいて圧縮機の駆動部を再起動させるときに、温度検知部によって検知される圧縮機の吐出部の温度の時間的推移の一例を示すグラフである。
【図５】本発明に従った衣類乾燥装置の一例であるドラム式洗濯乾燥機が外気温度３５℃の環境下に設置された状態において、５０Ｈｚの電源周波数の電力が圧縮機に供給される場合に、圧縮機が一時停止された後に、６０Ｈｚの電源周波数の電力が圧縮機に供給されるときと同様の条件に基づいて圧縮機の駆動部を再起動させるときに、温度検知部によって検知される圧縮機の吐出部の温度の時間的推移の一例を示すグラフである。
【図６】本発明に従った衣類乾燥装置の一例であるドラム式洗濯乾燥機が外気温度３５℃の環境下に設置された状態において、５０Ｈｚの電源周波数の電力が圧縮機に供給される場合に、圧縮機が一時停止された後に、６０Ｈｚの電源周波数の電力が圧縮機に供給されるときと異なる条件に基づいて圧縮機の駆動部を再起動させるときに、温度検知部によって検知される圧縮機の吐出部の温度の時間的推移の一例を示すグラフである。
【発明を実施するための形態】
【００３８】
以下、本発明の実施の形態を図面に基づいて説明する。
【００３９】
図１に、本発明に従った衣類乾燥装置の一例であるドラム式洗濯乾燥機１００を示す。ドラム式洗濯乾燥機１００は、乾燥機能に加えて、洗濯、すすぎおよび脱水の機能を有している。図１に示すように、ドラム式洗濯乾燥機１００は、外箱１を備えている。外箱１は、ドラム式洗濯乾燥機１００の本体の外形を形成している。外箱１は略直方体形状を有している。また、ドラム式洗濯乾燥機１００は、水槽２と回転ドラム３とモータ４とを備えている。
【００４０】
回転ドラム３は、水平方向または水平方向から傾斜した方向に延びる回転軸線を中心に回転する。回転ドラム３の材質としては、ステンレス鋼板が一般的に用いられている。回転ドラム３の周壁３ａと底部３ｂとには、給水、排水および通気のための複数の小孔（図示せず）が形成されている。周壁３ａは、回転ドラム３のうちの筒状の部分である。ドラム式洗濯乾燥機１００では、周壁３ａは略円筒形状を有している。また、周壁３ａは、回転軸線が延びる方向と平行な方向に延びている。
【００４１】
周壁３ａには、複数のバッフル（図示せず）が配置されている。バッフルは、回転軸線と略平行に延びている。また、バッフルは、回転軸線を中心とする円の半径方向の内方に向かって周壁３ａから突出している。
【００４２】
水槽２は、有底筒形状を有している。回転ドラム３は、水槽２の内部の空間に収容されている。水槽２の下部には、カウンターウェイト（図示せず）が取り付けられている。なお、水槽２全体のバランスをとるため、複数個のカウンターウェイトが水槽２に取り付けられていてもよい。また、カウンターウェイトは、水槽２の上部に取り付けられていてもよい。回転ドラム３の開口部の縁の外側には、図示しない液体バランサが取り付けられている。
【００４３】
回転ドラム３は、被乾燥対象物としての洗濯物５を収納する。回転ドラム３の底部３ｂの外側面には、駆動軸４１が固定されている。モータ４は、水槽２の底部２ｂの外側面に取り付けられている。モータ４は、駆動軸４１に連結されている。
【００４４】
ドラム式洗濯乾燥機１００は、ヒートポンプ装置７０を熱源として利用する衣類乾燥装置である。図２に示すように、ヒートポンプ装置７０は、圧縮機１４と凝縮器１５と蒸発器１７と膨張弁としての減圧部１６とを備えている。
【００４５】
圧縮機１４は、冷媒を圧縮して冷媒の温度を上昇させる。圧縮機１４は、圧縮機１４を駆動させる誘導モータ１４ａを有している。誘導モータ１４ａは、圧縮機１４の駆動源を構成している。誘導モータ１４ａは、駆動部の一例である。
【００４６】
圧縮機１４に内蔵された誘導モータ１４ａは、周波数６０Ｈｚの単相交流電源に接続されている。誘導モータ１４ａの回転数は、誘導モータ１４ａの始動直後において、すべり０．０５で１，７１０ｒｐｍである。ヒートポンプ装置７０において、冷媒の温度が上昇するに従って誘導モータ１４ａのすべり量が大きくなる一方、回転数は低下する。
【００４７】
凝縮器１５は、圧縮機１４によって圧縮された冷媒と空気とを熱交換させることによって空気を加熱させる。減圧部１６は、空気を加熱させた冷媒の圧力を減圧する。減圧部１６は、キャピラリチューブによって形成されている。蒸発器１７は、減圧された冷媒と空気とを熱交換させることによって空気を冷却させる。また、ヒートポンプ装置７０は、冷媒配管１８を備えている。冷媒配管１８は、圧縮機１４、凝縮器１５、減圧部１６、蒸発器１７の順に冷媒が循環するように、圧縮機１４と凝縮器１５と減圧部１６と蒸発器１７とを連結する。
【００４８】
凝縮器１５と蒸発器１７とは、それぞれフィンチューブ型の熱交換器である。ヒートポンプ装置７０においては、蒸発器１７と凝縮器１５との順に、蒸発器１７と凝縮器１５とを乾燥用空気が流れる。
【００４９】
図１に示すように、ドラム式洗濯乾燥機１００は、乾燥室３２とファン９と空気循環経路６０と制御部２０とを備えている。回転ドラム３の内部の空間が乾燥室３２として機能する。また、乾燥室３２には、凝縮器１５で加熱された空気が供給される。図１と図２とを参照するように、空気循環経路６０は、乾燥室３２、蒸発器１７、凝縮器１５、および、乾燥室３２の順に空気が循環するように、ヒートポンプ装置７０と乾燥室３２とに接続されている。
【００５０】
図１と図２とを参照するように、ファン９は、凝縮器１５によって加熱された空気を乾燥室３２へ送風する。空気循環経路６０を流れる乾燥用空気は、乾燥室３２、蒸発器１７、凝縮器１５、ファン９、および、乾燥室３２の順に循環する。
【００５１】
空気循環経路６０は、返送路６１と接続路６２と供給路６３とを有している。返送路６１は、空気循環経路６０のうち、乾燥室３２と蒸発器１７との間を延びる部分である。接続路６２は、空気循環経路６０のうち、凝縮器１５とファン９との間を延びる部分である。供給路６３は、空気循環経路６０のうち、ファン９と乾燥室３２との間を延びる部分である。
【００５２】
ドラム式洗濯乾燥機１００（図１参照）は、検温器１２（図２参照）を備えている。検温器１２は、冷媒の温度を検出する。検温器１２は、圧縮機１４の吐出部に配置されている。なお、圧縮機１４の吐出部とは、圧縮機１４の一部であって、冷媒が圧縮機１４に流入する側の部分よりも冷媒が圧縮機１４から流出する側に位置する部分のことである。あるいは、圧縮機１４の吐出部とは、圧縮機１４から流出した冷媒が通る冷媒配管１８の一部であって、冷媒配管１８と圧縮機１４との接続部分であってもよい。
【００５３】
図１に示すように、制御部２０は、温度検知部２１を有している。温度検知部２１は、検温器１２（図２参照）に電子的または電気的に接続されている。これにより、制御部２０において、温度検知部２１は、検温器１２が検出する圧縮機１４（図２参照）の吐出部の温度を検知する。後述するように、制御部２０は、温度検知部２１によって検知される圧縮機１４の吐出部の温度が第１の所定の温度以上である場合に誘導モータ１４ａ（図２参照）の回転を一時的に停止させ、且つ、圧縮機１４の吐出部の温度が第２の所定の温度以下である場合に圧縮機１４を再起動させる。
【００５４】
誘導モータ１４ａは、圧縮機１４において、冷媒が流通する部分に配置されている。誘導モータ１４ａは、スイッチを含む回路２２に接続されている。制御部２０が、回路２２に含まれるスイッチのオンとオフとを切り替えるようにスイッチを制御することにより、誘導モータ１４ａの回転開始と回転停止とが切り替えられる。
【００５５】
一方、ドラム式洗濯乾燥機１００において、ドラム式洗濯乾燥機１００の運転に必要な制御についての判断は、制御部２０によって判断されている。また、制御部２０には、ドラム式洗濯乾燥機１００の運転に必要なデータ等が格納されている。
【００５６】
制御部２０は、例えば検温器１２（図２参照）によって検知された冷媒の温度に基づき、ヒートポンプ装置７０とファン９とを制御する。また、モータ４が制御部２０に制御されることにより、回転ドラム３の回転、停止、および、回転数が調整される。
【００５７】
以上にように構成されたドラム式洗濯乾燥機１００が洗濯物５を乾燥させるための動作について、以下に説明する。まず、モータ４が駆動されることによって回転ドラム３が回転されると共に、ファン９とヒートポンプ装置７０との駆動が開始される。乾燥用空気は、ファン９が発生させる気流により、二点鎖線にて示す矢印のように空気循環経路６０を流れる。なお、図１および図２にて示す二点鎖線の矢印は、気流が流れる方向を概略的に示すものであり、気流の速度または規模を示すものではない。
【００５８】
ファン９が発生させた気流により、乾燥室３２に流入した空気は、乾燥室３２において撹拌される洗濯物５から水分を得て、ヒートポンプ装置７０へ向かって空気循環経路６０を流通する。空気循環経路６０からヒートポンプ装置７０へ流入した空気の一部は、蒸発器１７によって露点以下に除湿される。除湿された後の空気は、凝縮器１５によって加熱されて高温化且つ低湿度化され、乾燥用空気として再び乾燥室３２に流入する。このような空気の流れが繰り返されることにより、洗濯物５の乾燥が進行する。
【００５９】
次に、ヒートポンプ装置７０の冷凍サイクルと乾燥用空気との熱交換について説明する。圧縮機１４によって高温化且つ高圧化された気体状態の冷媒（Ｒ１３４ａ）は、凝縮器１５へ送られる。凝縮器１５において、冷媒の熱量が乾燥用空気へ放熱されることにより、冷媒の液化が進行する。凝縮器１５を通過した冷媒は、減圧部１６で減圧される。減圧部１６において、減圧と流量が制御された冷媒は、熱量を放出して、低温且つ低圧の気液二相状態の液体に変化する。蒸発器１７においては、乾燥室３２からヒートポンプ装置７０に戻ってきた空気から熱量が回収されることにより、冷媒のガス化が進行する。
【００６０】
以下では、図３〜図６を用いて、ドラム式洗濯乾燥機１００の全体のエネルギーの上昇を抑制しながら電力の電気的要因の違いによって総乾燥行程時間に差が生じることを防止するための条件について、説明する。
【００６１】
なお、総乾燥行程時間とは、乾燥行程が開始されてから終了されるまでの時間のことである。図３〜図６に示す例においては、ドラム式洗濯乾燥機１００（図１参照）の乾燥行程は、洗濯物５（図１参照）の乾燥度が１００．１〜１００．５％であることが判定される場合に終了されている。また、乾燥度とは、ドラム式洗濯乾燥機１００が設置される環境温度および湿度と乾燥とに関して平衡状態にある洗濯物５の初期質量を乾燥行程中の洗濯物５の質量で除した値に、１００を掛けた値（％）で表される。
【００６２】
先ず、外気温度が２０℃である環境に設置されたドラム式洗濯乾燥機１００において所定量の洗濯物５の乾燥行程を行う場合に、温度検知部２１（図１参照）によって検知される圧縮機１４（図２参照）の吐出部の温度変化について説明する。なお、図３に示す例と図４に示す例においては、６０Ｈｚの電源周波数の電力が圧縮機１４に供給されている。
【００６３】
図３に示すように、乾燥行程が開始されてからドラム式洗濯乾燥機１００（図１参照）の運転時間が進むに従い、冷媒の温度は上昇する。しかしながら、冷媒の温度の上昇に応じて、外箱１（図１参照）の熱伝導等によってドラム式洗濯乾燥機１００の外部への放熱量が増加する。そのため、冷媒の温度上昇が次第に抑えられた後には、冷媒の温度が低下する。その後に、運転時間１１２分で所定の乾燥度に到達して、乾燥行程が終了される。
【００６４】
次に、外気温度が３５℃である環境に設置されたドラム式洗濯乾燥機１００において所定量の洗濯物５の乾燥行程を行う場合に、温度検知部２１によって検知される圧縮機１４の吐出部の温度変化について説明する。図３と図４とを参照するように、外気温度が２０℃である環境にドラム式洗濯乾燥機１００が設置された場合に比べて、外気温度が３５℃である環境にドラム式洗濯乾燥機１００が設置された場合には、乾燥行程が開始されてからドラム式洗濯乾燥機１００の運転時間が進むに従って、冷媒の温度が急激に上昇する。
【００６５】
ドラム式洗濯乾燥機１００において、制御部２０は、温度検知部２１によって検知される温度が第１の所定の温度以上である場合に圧縮機１４の誘導モータ１４ａの駆動を一時的に停止させる。また、制御部２０は、温度検知部２１によって検知される温度が第２の所定の温度以下である場合に圧縮機１４を再起動させる。
【００６６】
図４〜図６に示す例において、第１の所定の温度は、例えば８０℃に設定されている。したがって、図４に示す例において、第１の所定の温度としての温度上限目安である８０℃に運転時間２８分で到達して、圧縮機１４の駆動が一時的に停止された。
【００６７】
圧縮機１４を一旦停止させた場合には、冷媒の圧力が凝縮器１５と蒸発器１７とを含む熱交換器の各部において均等になるまで、圧縮機１４を再起動させることができない。あるいは、圧縮機１４を一旦停止させた後にすぐに再起動させた場合には、温度上限に再到達する時間が短くなるため、一旦停止と再起動とが繰り返される頻度が高くなる。
【００６８】
これらの理由と洗濯物５の温度低下量とを考慮して、図４〜図５に示す例において、圧縮機１４の再起動の条件は、第２の所定の温度の一例として温度５４℃に設定されている。この条件に従って、運転時間３６分に圧縮機１４が再起動された。その後、これらの条件に従って、誘導モータ１４ａの回転の一旦停止と圧縮機１４の再起動とが繰り返され、運転時間１２０分で所定の乾燥度に到達して、乾燥行程が終了する。
【００６９】
さらに次に、外気温度が３５℃である環境に設置されたドラム式洗濯乾燥機１００を周波数５０Ｈｚの単相交流電源に接続した状態おいて所定量の洗濯物５の乾燥行程を行う場合に、温度検知部２１によって検知される圧縮機１４の吐出部の温度変化について説明する。
【００７０】
以下に説明するように、ドラム式洗濯乾燥機１００において、電気的要因は、誘導モータ１４ａに負荷される電力の電源周波数である。なお、図５において、実線は図４に示す例の温度変化である。図５において、破線は、ドラム式洗濯乾燥機１００を周波数５０Ｈｚの単相交流電源に接続した状態の温度変化を示す。
【００７１】
誘導モータ１４ａの回転数は、電源周波数に応じて変化する。そのため、６０Ｈｚの電源周波数の電力が圧縮機１４に供給される場合に比べて、５０Ｈｚの電源周波数の電力が圧縮機１４に供給される場合には、誘導モータ１４ａの回転数が低く、且つ、圧縮機１４の能力が小さくなる。したがって、５０Ｈｚの電源周波数の電力が圧縮機１４に供給される場合には、冷媒の温度上昇が比較的緩やかであり、且つ、乾燥の進行が遅い（図５の破線参照）。
【００７２】
図５の破線に示す例においては、第１の所定の温度としての設定温度８０℃に運転時間３３分で到達して、圧縮機１４の駆動が一時的に停止された。また、第２の所定の温度としての設定温度５４℃に運転時間４１分に到達した。その後、これらの設定温度に従って、誘導モータ１４ａの回転の一旦停止と圧縮機１４の再起動とが繰り返され、運転時間１３２分で所定の乾燥度に到達して、乾燥行程が終了する。
【００７３】
ところで、圧縮機１４に供給される電力の電源周波数が５０Ｈｚまたは６０Ｈｚであるようにそれぞれ異なる場合に、５０Ｈｚの電源周波数において予め設定された第１の所定の温度が、６０Ｈｚの電源周波数において予め設定された第１の所定の温度と同一であり、且つ、５０Ｈｚの電源周波数において予め設定された第２の所定の温度が、６０Ｈｚの電源周波数において予め設定された第２の所定の温度と同一であるときには、圧縮機１４の誘導モータ１４ａの駆動が停止されてから圧縮機１４が再起動されるまでの時間は、互いに略同一である（図５の実線と破線とを参照）。そのため、圧縮機１４に供給される電力の電源周波数が５０Ｈｚまたは６０Ｈｚであるようにそれぞれ異なる場合であっても、誘導モータ１４ａの回転が停止されることによって、総乾燥行程時間として洗濯物５の乾燥に掛かる時間は、誘導モータ１４ａの回転が停止される頻度に応じてそれぞれ同様に長くなる。
【００７４】
一方、上記のように、６０Ｈｚの電源周波数の電力が圧縮機１４に供給される場合に比べて、５０Ｈｚの電源周波数の電力が圧縮機１４に供給される場合には、誘導モータ１４ａの回転数が低いことによって乾燥の進行が遅い。さらに、図５の破線に示す例において予め設定された第１の所定の温度と第２の所定の温度とは、図５の実線に示す例（つまり図４に示す例）において予め設定された第１の所定の温度と第２の所定の温度と、それぞれ同一の温度である。そのため、５０Ｈｚの電源周波数の電力が圧縮機１４に供給される場合には、６０Ｈｚの電源周波数の電力が圧縮機１４に供給される場合に比べて、誘導モータ１４ａの回転が停止される頻度と、圧縮機１４が再起動されてから第１の所定の温度に到達するまでの時間とに応じて、総乾燥行程時間が長くなる（図５の実線と破線とを参照）。
【００７５】
すなわち、圧縮機１４に供給される電力の電源周波数が５０Ｈｚまたは６０Ｈｚであるようにそれぞれ異なる場合に、互いに同一の条件に基づいて圧縮機１４の作動の一時停止と再開とが繰り返されるときには、圧縮機１４の能力差以上に総乾燥行程時間に差が生じる。上記のように、図５の実線に示す例（つまり図４に示す例）においては、総乾燥行程時間は１２０分である。一方、図５の破線に示す例においては、総乾燥行程時間は１３２分である。
【００７６】
このような総乾燥行程時間に差が生じることを防止するため、ドラム式洗濯乾燥機１００においては、５０Ｈｚの電源周波数の電力が圧縮機１４に供給される場合に、圧縮機１４の再起動の条件が、第２の所定の温度の一例として温度５６℃に設定されている。このように設定された圧縮機１４の再起動の条件に基づいてドラム式洗濯乾燥機１００を運転する場合に得られた温度変化を、図６の二重線に示す。なお、図６の破線は、図５の破線の温度変化を示す。
【００７７】
５０Ｈｚの電源周波数の電力が圧縮機１４に供給される場合において、第２の所定の温度（この温度は５６℃である）が、６０Ｈｚの電源周波数の電力が圧縮機１４に供給される場合に予め設定された温度（この温度は５４℃である）よりも高く設定されていることにより、総乾燥行程時間を短縮することができる（図６の二重線参照）。図６の二重線に示す例においては、運転時間１２５分で所定の乾燥度に到達して、乾燥行程が終了する。このように、圧縮機１４に供給される電力の電源周波数が互いに異なる場合であっても、当該電源周波数に応じて第２の所定の温度がそれぞれの場合において適切に設定されることにより、総乾燥行程時間に差が生じることを防止することができる（図６の二重線と破線とを参照）。
【００７８】
以上のように、ドラム式洗濯乾燥機１００は、圧縮機１４を含むヒートポンプ装置７０と、乾燥室３２と、空気循環経路６０と、制御部２０とを備えている。乾燥室３２には、ヒートポンプ装置７０において加熱された空気が供給される。空気循環経路６０は、ヒートポンプ装置７０と乾燥室３２とに接続されている。制御部２０は、ヒートポンプ装置７０を制御する。
【００７９】
圧縮機１４は、圧縮機１４を駆動させる誘導モータ１４ａを有している。誘導モータ１４ａの出力は、誘導モータ１４ａに負荷される電力の電気的要因に応じて決定される。制御部２０は、誘導モータ１４ａの駆動を一時的に停止させた後に、電気的要因に応じて予め設定された条件に基づいて誘導モータ１４ａを再起動させるように圧縮機１４を制御する。
【００８０】
ドラム式洗濯乾燥機１００において、圧縮機１４の誘導モータ１４ａの出力、つまり、圧縮機１４の能力は、可変でなく、誘導モータ１４ａに負荷される電力の電気的要因に応じて決定される。圧縮機１４の能力が可変でない構成を有するヒートポンプ装置７０を備えたドラム式洗濯乾燥機１００においては、ドラム式洗濯乾燥機１００が有する乾燥能力が圧縮機１４に供給される電力の電気的要因に応じて定まる。そのため、圧縮機１４の能力が可変でない構成を有するヒートポンプ装置７０を備えたドラム式洗濯乾燥機１００において、洗濯物５を乾燥させるために必要な時間が、圧縮機１４に供給される電力の電気的要因ごとに異なる。
【００８１】
したがって、圧縮機１４の能力が可変でない構成を有するヒートポンプ装置７０を備えたドラム式洗濯乾燥機１００において、圧縮機１４に供給される電力の電気的要因が異なる場合に互いに同一の条件に基づいて圧縮機１４の作動の一時停止と再開とが繰り返されるときには、当該電気的要因の違いによって洗濯物５を乾燥させるために必要な時間に差が生じてしまう。すなわち、ドラム式洗濯乾燥機１００が使用される地域が異なる場合には、洗濯物５の乾燥に掛かる時間に差が生じる。
【００８２】
しかしながら、ドラム式洗濯乾燥機１００において、誘導モータ１４ａは、一時的に停止された後には、電気的要因に応じて予め設定された条件に基づいて再起動される。これにより、ドラム式洗濯乾燥機１００において、圧縮機１４に供給される電力の電気的要因が互いに異なる場合であっても、電力の電気的要因の違いによって洗濯物５を乾燥させるために必要な時間に差が生じることを防止することができる。例えば、ドラム式洗濯乾燥機１００が使用される地域が異なる場合に、総乾燥行程時間に差が生じることを防止することができる。
【００８３】
一方、ドラム式洗濯乾燥機１００によれば、能力が可変でない圧縮機１４を用いることにより、ヒートポンプ装置７０は、特殊な制御回路等の複雑な構成を有する必要がない。すなわち、ヒートポンプ装置７０の構成を簡略化することができる。
【００８４】
このようにすることにより、比較的簡易な構成を有するヒートポンプ装置７０を備えたドラム式洗濯乾燥機１００であって、ドラム式洗濯乾燥機１００が使用される地域によって総乾燥行程時間に差が生じることが防止されたドラム式洗濯乾燥機１００を提供することができる。
【００８５】
ドラム式洗濯乾燥機１００において、圧縮機１４の駆動部には誘導モータ１４ａが用いられている。誘導モータ１４ａは、例えば特殊な制御回路を介さずに、商用電源から直接的に誘導モータ１４ａに供給された電力を用いて回転することができる。このように、圧縮機１４の駆動部として誘導モータ１４ａを用いることにより、圧縮機１４およびドラム式洗濯乾燥機１００の構成を簡略化することができる。
【００８６】
ドラム式洗濯乾燥機１００において、誘導モータ１４ａに負荷される電力の電気的要因は、誘導モータ１４ａに負荷される電力の電源周波数である。
【００８７】
この構成によれば、誘導モータ１４ａは、一時的に停止された後には、電源周波数に応じて予め設定された条件に基づいて再回転される。これにより、ドラム式洗濯乾燥機１００において、電源周波数の違い、つまり、ドラム式洗濯乾燥機１００が使用される地域によって総乾燥行程時間に差が生じることを防止することができる。
【００８８】
言い換えると、この構成によれば、ドラム式洗濯乾燥機１００において、誘導モータ１４ａに負荷される電力の電源周波数に応じて圧縮機１４の能力が決定されるような、簡易な構成を有する誘導モータ１４ａを含んだ圧縮機１４を用いることができる。
【００８９】
ドラム式洗濯乾燥機１００において、制御部２０は、ヒートポンプ装置７０の所定の箇所の温度を検知する温度検知部２１を有している。制御部２０は、温度検知部２１によって検知される温度が第１の所定の温度以上である場合に誘導モータ１４ａを一時的に停止させる。
【００９０】
この構成によれば、ドラム式洗濯乾燥機１００が設置された環境が非常に高温である場合等に冷媒の温度が過剰に上昇するときに、圧縮機１４の能力を低減させることができなくても、圧縮機１４の作動を一時的に停止させることができる。これにより、ドラム式洗濯乾燥機１００の外部から加えられる電力を低減させることができるため、ドラム式洗濯乾燥機１００の全体のエネルギーの上昇を抑制することができる。
【００９１】
ドラム式洗濯乾燥機１００において、制御部２０は、ヒートポンプ装置７０の所定の箇所の温度を検知する温度検知部２１を有している。制御部２０は、温度検知部２１によって検知される温度が第２の所定の温度以下である場合に圧縮機１４を再起動させる。電気的要因に応じて予め設定された条件として、第２の所定の温度が電気的要因に応じて予め設定されている。
【００９２】
この構成によれば、誘導モータ１４ａは、一時的に駆動が停止された後に、温度検知部２１によって検知される温度が、電気的要因に応じて予め設定された第２の所定の温度以下である場合に再起動される。これにより、ドラム式洗濯乾燥機１００において、圧縮機１４の能力を変化させることができなくても、電力の電気的要因の違いによって総乾燥行程時間に差が生じることを防止することができる。
【００９３】
ドラム式洗濯乾燥機１００において、温度検知部２１は、圧縮機１４の吐出部の温度を検知する。制御部２０は、温度検知部２１によって検知される圧縮機１４の吐出部の温度が第１の所定の温度以上である場合に誘導モータ１４ａを一時的に停止させ、且つ、圧縮機１４の吐出部の温度が第２の所定の温度以下である場合に圧縮機１４を再起動させる。
【００９４】
この構成によれば、ドラム式洗濯乾燥機１００が設置された環境が非常に高温である場合等に冷媒の温度が過剰に上昇するときに、圧縮機１４の能力を低減させることができなくても、温度検知部２１によって検知される圧縮機１４の吐出部の温度に基づいて圧縮機１４の作動を一時的に停止させることができる。これにより、ドラム式洗濯乾燥機１００の外部から加えられる電力を低減させることができるため、ドラム式洗濯乾燥機１００の全体のエネルギーの上昇を抑制することができる。
【００９５】
また、この構成によれば、誘導モータ１４ａは、一時的に駆動が停止された後に、圧縮機１４の吐出部の温度が、電気的要因に応じて予め設定された第２の所定の温度以下である場合に再起動される。これにより、ドラム式洗濯乾燥機１００において、圧縮機１４の能力を変化させることができなくても、電力の電気的要因の違いによって総乾燥行程時間に差が生じることを防止することができる。
【００９６】
なお、本発明に従った衣類乾燥装置は、ドラム式洗濯乾燥機１００のように乾燥機能に加えて、洗濯、すすぎおよび脱水の機能を有するものに限定されず、洗濯等の機能を有しておらず且つ乾燥機能のみを有する乾燥装置であってもよい。
【００９７】
なお、ドラム式洗濯乾燥機１００において、圧縮機１４に用いられる駆動部の一例としてのモータは、誘導モータ１４ａに限定されず、別の種類のモータであってもよい。また、駆動部に負荷される電力の電気的要因に応じて決定される圧縮機１４の能力、つまり、駆動部の出力は、圧縮機１４に用いられるモータの種類に応じてそれぞれ異なっていてもよい。あるいは、駆動部に負荷される電力の電気的要因に応じて決定される圧縮機１４の能力は、圧縮機１４に用いられる駆動部の構成に応じてそれぞれ異なっていてもよい。
【００９８】
なお、ドラム式洗濯乾燥機１００において、電気的要因は、圧縮機１４の駆動部に負荷される電力の電圧であってもよい。つまり、電気的要因に応じて予め設定された条件として、第２の所定の温度すなわち圧縮機１４の再起動条件は、当該駆動部に負荷される電力の電圧に応じて予め設定されていてもよい。
【００９９】
この構成によれば、圧縮機１４の駆動部は、一時的に駆動が停止された後には、当該駆動部に負荷される電力の電圧に応じて予め設定された条件に基づいて再回転される。これにより、ドラム式洗濯乾燥機１００において、電力の電圧の違い、例えば、ドラム式洗濯乾燥機１００が使用する商用電源の電圧値の違いによって総乾燥行程時間に差が生じることを防止することができる。
【０１００】
言い換えると、この構成によれば、ドラム式洗濯乾燥機１００において、当該駆動部に負荷される電力の電圧に応じて圧縮機１４の能力が決定されるような、簡易な構成を有する駆動部を含んだ圧縮機１４を用いることができる。
【０１０１】
なお、電気的要因に応じて予め設定された条件としては、圧縮機１４の再起動条件としての第２の所定の温度ではなく、温度上限としての第１の所定の温度が、電気的要因に応じて予め設定されていてもよい。電気的要因に応じて予め設定された条件として、第２の所定の温度が電気的要因に応じて予め設定され、且つ、第１の所定の温度が電気的要因に応じて予め設定されていてもよい。
【０１０２】
なお、上記において、圧縮機１４に供給される電力の電気的要因が互いに異なる場合の例としては、５０Ｈｚの電源周波数と６０Ｈｚの電源周波数との組み合わせであった。ただし、圧縮機１４に供給される電力の電気的要因が互いに異なる場合の例としては、別の電気的要因の組み合わせであってもよい。圧縮機１４に供給される電力の電圧が互いに異なる場合の例として、電圧値の組み合わせは、特に限定されない。
【０１０３】
なお、ドラム式洗濯乾燥機１００において制御部２０が配置される位置は、特に限定されない。図１に示す制御部２０は、概略的に示されるものであって、上述のように所望の機能を奏するものであればよい。
【０１０４】
以上に開示された実施の形態はすべての点で例示であって制限的なものではないと考慮されるべきである。本発明の範囲は、以上の実施の形態ではなく、特許請求の範囲によって示され、特許請求の範囲と均等の意味および範囲内でのすべての修正と変形を含むものである。
【符号の説明】
【０１０５】
１４：圧縮機、１４ａ：誘導モータ、１６：減圧部、１８：冷媒配管、２０：制御部、２１：温度検知部、３２：乾燥室、６０：空気循環経路、７０：ヒートポンプ装置、１００：ドラム式洗濯乾燥機
【図１】
2013180098.tif 000003
【図２】
2013180098.tif 000004
【図３】
2013180098.tif 000005
【図４】
2013180098.tif 000006
【図５】
2013180098.tif 000007
【図６】
2013180098.tif 000008